(57)【要約】【課題】  足元収納部の間口幅を任意の大きさで構成できるようにして収納時の使い勝手を向上するとともに、配管スペースを容易に構成でるように構造の簡素化を計り、しかも、据付時の作業性の向上、リフォーム時などにおける経済性の向上などが達成できるようにしたシステムキッチンのベースキャビネットを提供する。【解決手段】  側板８ａと背板８ｂを平面コ字状に枠組構成した枠体８の枠内空間に引出ユニット９を収容可能となるようにして下段キャビネットＢ１・Ｂ２・Ｂ３を構成し、該下段キャビネットＢ１・Ｂ２・Ｂ３の枠体８上に下段キャビネットＢ１・Ｂ２・Ｂ３より奥行き寸法の大きい上段キャビネットＡ１・Ａ２・Ａ３・Ａ４を配置するようになし、下段キャビネットＢ１・Ｂ２・Ｂ３の前面に蹴込空間が形成されるようにする。【選択図】  図１
2005143830.tif 000002
【特許請求の範囲】
【請求項１】
側板と背板を平面コ字状に枠組構成した枠体の枠内空間に引出ユニットを収容可能となるようにして下段キャビネットを構成し、該下段キャビネットの枠体上に下段キャビネットより奥行き寸法の大きい上段キャビネットを載置するようになし、下段キャビネットの前面に蹴込空間が形成されるようにしたことを特徴とするベースキャビネット。
【請求項２】
ビーム材により骨組構成された枠体の枠内空間に引出ユニットを収容可能となるようにして下段キャビネットを構成し、該下段キャビネットの枠体上に下段キャビネットより奥行き寸法の大きい上段キャビネットを載置するようになし、下段キャビネットの前面に蹴込空間が形成されるようにしたことを特徴とするベースキャビネット。
【請求項３】
枠体に底板を設けたことを特徴とする請求項１記載のベースキャビネット。
【請求項４】
基準長より奥行き寸法を小さくした枠体の背面に配管スペースが形成されるようにしたことを特徴とする請求項１記載のベースキャビネット。
【請求項５】
下段キャビネットの引出ユニットにキャスターを取り付け、枠体から引き出し可能となるようにしたことを特徴とする請求項１乃至請求項２記載のベースキャビネット。
【請求項６】
上段キャビネットおよび／または下段キャビネットに空気流通手段を設けたことを特徴とする請求項１乃至請求項２記載のベースキャビネット。
【請求項７】
枠体の枠内空間に引出ユニットを収容した下段キャビネットの前記枠体上に、該下段キャビネットより奥行き寸法の大きい上段キャビネットを載置するにあたり、上段キャビネットの配列数より下段キャビネットの配列数を少なくし、且つ、全体の間口幅が一致するようにして構成したことを特徴とする厨房家具。
【発明の詳細な説明】
【技術分野】
【０００１】
本発明は、システムキッチンを構成するためのベースキャビネットの改良に関するもので、特に収納機能および使い勝手を向上するとともに据付時における作業能率を向上できるようにし、しかも大幅なコストの削減が可能となるようにしたものである。
【背景技術】
【０００２】
従来から一般に普及しているシステムキッチンの水回り部分は図１４に示すように、いわゆる観音開きの開閉扉１０１を備えた複数のベースキャビネット１００を並置連結し、ワークトップ１０２を配置固定するようにしている。そして、各ベースキャビネット１００の側板の床面に接する前端部に凹欠部を形成し、この凹欠部に幕板１０３を配設し、蹴込空間を形成するようにしている。
【０００３】
このように構成されたベースキャビネットに対する収納作業は、内部が棚板構成されていることにより、調理器具、食器類を水平方向から出し入れするため、立ち座りの繰り返しを強要され、労苦を伴うものであった。また、収納空間を斜め上方から覗き見る状態となることから、奥部側の収納物の確認が困難であり、収納物を取り出すことも煩わしい作業となるものであった。
【０００４】
このような問題を解決するため、近年のシステムキッチンの傾向として、ベースキャビネットの収納部分を引出ユニットで構成することにより、立ち座りを不要とし、収納物を一望に見渡すことができ、垂直方向からの出し入れが可能となるようにして収納作業の合理性を向上するようにしたベースキャビネットが提案されている（例えば、特許文献１）。
【０００５】
図１５は、上記目的にもとづくベースキャビネットの構築例を示すもので、通常、個々のベースキャビネットは各種の基準間口幅（１５ｃｍ、３０ｃｍ、４５ｃｍ、７５ｃｍなど）で構成され、同図に示すように上部引出ユニット２００と、足元収納部となる下部引出ユニット２０１が一体に構成されたものとなっている。即ち、箱体となる主体部は、側板２０２と背板２０３とによりコ字状に組み立てられ、上部、下部および前面が開放されており、側板２０２の内側面に配設したスライドレール２０４に上部引出ユニット２００と下部引出ユニット２０１の側板の外側面に配設したスライドレール２０５を組み合わせてスライド可能となるようにし、この上部引出ユニット２００と下部引出ユニット２０１のスムーズな出し入れが可能となるようにしている。
【０００６】
このように構成されたベースキャビネットでは、図１４に示す従来の構成における台輪部分に生じるデッドスペースを解消し、収納容積を大きくするため、下部引出ユニット２０１を設けるようにしたのであるが、床板との接地部に蹴込空間を形成する必要があるため、側板２０２の前端下部に凹欠部を形成するとともに、下部引出ユニット２０１の鏡板２０１ａの下部を凹ませるようにしている。
【０００７】
以上から明らかなように、上部引出ユニット２００および下部引出ユニット２０１は側板２０２にスライドレールで吊支状態となり、各々の引出ユニットが引き出されると、その上面が全て開放されることになることから、立ったままの姿勢で内部を一望に見渡すことができ、収納物の確認および収納作業が容易になる。
【特許文献１】特開２０００−２３６９６４号公報
【発明の開示】
【発明が解決しようとする課題】
【０００８】
上記のように構成されたベースキャビネットでは、上部引出ユニットおよび下部引出ユニットを左右の側板で同時に吊支状態としなければならないため、下部引出ユニットの間口幅は必然的に上部引出ユニットの間口幅と同一となる。したがって、このように上部引出ユニットと下部引出ユニットが同時に組み込まれて単一構成された複数のベースキャビネットを並置連結すると、ベースキャビネットの配列数に相当する数の下部引出ユニットが構成されてしまうことになる。
【０００９】
ところで、下部引出ユニットには、通常、使用頻度の低い調理器具や食器類が収納される傾向にあり、収納物の収納位置の記憶が時間の経過に伴い定かでなくなるため、特定の収納物を取り出す場合、下部引出ユニットが細かく分断されていると、各々を引き出して内部の収納物を個々に確認しなければならない煩わしい作業を強いられることがあり、甚だ使い勝手の悪いものとなる。即ち、下部引出ユニットは、通常、分別収納の必要性が低く、収納物を包括的に把握できるようにしておくのが望ましいのであるが、図１５に示すベースキャビネットの構成においては、下部引出ユニットが必然的に細分化されしまう結果となる。また、厨房家具の全体の構成において、シンク、コンロ、および配管の位置により各ベースキャビネットの配列状態が決定されるのであるが、前記条件が優先されるために下部引出ユニットの配置条件は無視されることになり、レイアウトおよびデザイン性において融通性の乏しいものとなる。
【００１０】
さらに、厨房家具としての全体の構成においては、ベースキャビネットの間口幅が１５ｃｍあるいは３０ｃｍのように狭いものも必要となるものであり、この場合においては、狭い間口幅の用途の乏しい下部引出ユニットが構成されてしまうことになり、このような狭い間口幅のベースキャビネットにおいても下部引出ユニットを構成しておくことは、きわめて大きなコスト上昇の要因となる。しかも、このように下部引出ユニットを一体にしたベースキャビネットにおいても、背面下部を凹欠させてガス、水道などのための配管スペースを形成する必要があるため、同一の基準間口幅のベースキャビネットにおいて、標準的構造のものと、背面下部を凹欠して配管スペースを形成した複雑な構造のものを商品構成として準備しておく必要があり、この点からもコストを上昇させてしまうことになる。
【００１１】
一方、水回りに設置されたベースキャビネットは、湿気などによる腐敗が床に接する部分から進行し易く、下部引出ユニットの部位が腐敗した場合、上部引出ユニットと下部引出ユニットが側板で一体に構成してあることから部分的交換が不能であり、上部引出ユニットとともに全体を一括して交換しなければならず、経済性を低下するものである。
【００１２】
また、構造面においては、側板に蹴込空間を形成するための凹欠部を形成する工程が必要であったり、据付施工時のレベル調整作業では、かなり大きな重量となるベースキャビネットを個々に調整しなければならなず、運搬から施工までに大きな労力が必要となる。さらに、下部引出ユニットに除湿や冷蔵機能を収容する場合、密閉性などの面から設計が困難であるという問題を残すものである。なお、下部引出ユニットが位置する床面には塵埃が侵入し易く、衛生面からも定期的な清掃が望ましいのであるが、下部引出ユニットに調理器具や食器類が収納されるとかなり大きな重量となり、これを本体から引き抜くのは困難であるため、収納物を一旦取り出し、清掃後、再度収納を行うような煩雑な作業となる。
【課題を解決するための手段】
【００１３】
そこで本発明は、以下に述べる各手段により上記課題を解決するようにした。即ち、請求項１記載の発明では、側板と背板を平面コ字状に枠組構成した枠体の枠内空間に引出ユニットを収容可能となるようにして下段キャビネットを構成し、該下段キャビネットの枠体上に下段キャビネットより奥行き寸法の大きい上段キャビネットを載置するようになし、下段キャビネットの前面に蹴込空間が形成されるようにする。
【００１４】
請求項２記載の発明では、ビーム材により骨組構成された枠体の枠内空間に引出ユニットを収容可能となるようにして下段キャビネットを構成し、該下段キャビネットの枠体上に下段キャビネットより奥行寸法の大きい上段キャビネットを載置するようになし、下段キャビネットの前面に蹴込空間が形成されるようにする。
【００１５】
請求項３記載の発明では、上記請求項１記載の発明において、枠体に底板を設けるようにする。
【００１６】
請求項４記載の発明では、上記請求項１記載の発明において、基準長より奥行き寸法を小さくした枠体の背面に配管スペースが形成されるようにする。
【００１７】
請求項５記載の発明では、上記請求項１乃至請求項２記載の発明において、下段キャビネットの引出ユニットにキャスターを取り付け、枠体から引き出し可能となるようにする。
【００１８】
請求項６記載の発明では、上記請求項１乃至請求項２記載の発明において、上段キャビネットおよび／または下段キャビネットに空気流通手段を設けるようにする。
【００１９】
請求項７記載の発明では、枠体の枠内空間に引出ユニットを収容した下段キャビネットの前記枠体上に、該下段キャビネットより奥行き寸法の大きい上段キャビネットを載置するにあたり、上段キャビネットの配列数より下段キャビネットの配列数を少なくし、且つ、全体の間口幅が一致するようにして厨房家具を構成する。
【発明の効果】
【００２０】
請求項１記載の発明によれば、上段キャビネットと下段キャビネットを各別に構成するようにしたので、下段キャビネットの間口幅が上段キャビネットの間口幅に規制されることがなく、任意の間口幅の下段キャビネットを構成することができる。また、下段キャビネットは、その枠体のみの交換が可能となるため、リフォームなどへの対応が容易となり経済性を向上することができ、あるいは、下段キャビネットに湿気などによる影響を受け難い材質のものを採用することができ、耐久性を向上することができる。さらに、予め下段キャビネットのみを配列してレベル調整作業を簡単迅速に行うことができ、施工作業を合理化することができる。    
【００２１】
請求項２記載の発明によれば、枠体を一体構成することができるので、下段キャビネットの構築が容易となり、据付時のレベル調整作業も容易となる。また、据付位置の床面の清掃が容易となり、基準長より奥行き寸法の小さい引出ユニットを採用するのみで配管スペースを形成することができる。
【００２２】
請求項３記載の発明によれば、枠体に底板を設けるようにしたので、枠体の剛性を高くすることができる。
【００２３】
請求項４記載の発明によれば、基準長より奥行き寸法が小さい枠体を配置し、その背面を配管スペースとなるようにしたので、枠体の側板および引出ユニットの奥行き寸法を変更するのみで配管スペースを形成することができ、据付位置の条件に容易に対応可能となるとともに低コストな構築が可能となる。
【００２４】
請求項５記載の発明によれば、引出ユニットにキャスターを取り付けるようにしたので、引出ユニットを枠体の外部へ引き出すことができ、これにより枠体内の床面の清掃を容易に行うことができる。
【００２５】
請求項６記載の発明によれば、上部キャビネットおよび／または下部キャビネットに空気流通手段を設けたので、キャビネット内部の空気の循環を促し、防黴対策などを講じることができる。
【００２６】
請求項７記載の発明によれば、上段キャビネットより下段キャビネットの配列数を少なくし、且つ、全体の間口幅が一致するようにして厨房家具を構築したので、下段キャビネットの使い勝手を向上することができ、しかも下段キャビネットが細分化されたような状態とならなず、全体がシンプルな外観となりデザイン性を向上することができる。さらに、下段キャビネットの間口幅を自由に設定できるので、顧客の要求などに対応が容易となり、融通性の高いものとなる。
【発明を実施するための最良の形態】
【００２７】
以下、本発明の実施の形態を図にもとづいて詳細に説明する。
【００２８】
図１は、本発明の第１実施例によるベースキャビネットにより厨房家具を完成した状態を示す斜視図であり、同図に示す例においては、４組の上部キャビネットＡ１・Ａ２・Ａ３・Ａ４と３組の下部キャビネットＢ１・Ｂ２・Ｂ３、およびワークトップＷを主体に構築されている。
【００２９】
図２は、図１の構築状態の理解を容易とするため、上部キャビネットＡ１を配置前の状態で示したものであり、同図において上部キャビネットＡ１は、縦横同寸法の２枚の側板１および背板２、そして底板４（図３参照）により前面を開放したコ字状の箱体としてあり、形状安定と補強のため、側板１の上部前端に桟板３が梁渡されている。そして、上部キャビネットＡ１の内部には、従来と同様に引出ユニット６がスライドレール７による既知の手段により取り付けられており、その鏡板５で箱体の前面が覆われる。なお、上部キャビネットには、通常、引出ユニットが配設されるが、顧客の要望などにより開閉扉を配設し、内部に棚板を設けることも可能である。
【００３０】
つぎに、下部キャビネットＢ１・Ｂ２・Ｂ３の基本構成は共通するものであるが、まず、図４に示すようにスライドレールにより引出ユニットを支持するようにした下部キャビネットＢ１を例としてその構成の概要を説明する。同図に示すように下部キャビネットＢ１は、枠体８と引出ユニット９とを構成要素とするもので、縦横同寸法の２枚の側板８ａと背板８ｂとを平面コ字状にし、側板８ａの前端上部に形状安定と補強のための桟板８ｃが梁渡され、一体化されている。そして、前記側板８ａの内側面にはスライドレール７ａが固定される。なお、必要に応じ、枠体８の底部に底板８ｄを配設することにより、枠体８の剛性を高くすることができる。
【００３１】
一方、引出ユニット９は、同様に縦横同寸法の２枚の側板９ａと背板９ｂ、そして引手アングルを備えた鏡板９ｃおよび底板９ｄにより天板面が開放した箱体を構成し、側板９ａの外側面にスライドレール７ｂが固定される。このように構成された枠体８と引出ユニット９は、スライドレール７ａ・７ｂにより一体化され、枠体８から引出ユニット９を引き出すことが可能となる。
【００３２】
図５は、下部キャビネットの別構成例を示すもので、引出ユニット９の底板９ｄにキャスター１０を配設し、引出ユニット全体を枠体８の外部へ引き出すことが可能となるようにしたものである。したがって、このように構成した場合は、スライドレール７ａ・７ｂが不要となり、引出ユニット９の荷重はキャスター１０により受けることになる。前記構成から明らかなように、引出ユニット９を枠体８から引き出すことにより、それまで引出ユニット９で覆われていた床面を露呈させることができるので、この部分の清掃を容易に行うことができる。
【００３３】
図６は、図１、図２の実施例に対応する３基の枠体８の配置状態を示すもので、上部キャビネットＡ１・Ａ３・Ａ４の間口幅が全て４５ｃｍで、上部キャビネットＡ２の間口幅が７５ｃｍであり、すべての間口幅の合計が２１０ｃｍとなる場合、例えば、３基の枠体８の間口幅を７０ｃｍとすることにより合計の間口幅が２１０ｃｍとなり、上部キャビネットＡ１・Ａ２・Ａ３・Ａ４の合計の間口幅に一致させることができる。また、例えば、２基の枠体の間口幅を８０ｃｍとした場合は、１基の枠体の間口幅を５０ｃｍとし、合計の間口幅を２１０ｃｍとすることができ、さらに、２基の枠体の間口幅をそれぞれ１０５ｃｍとして合計の間口幅を２１０ｃｍとすることができる。このように、ある程度の基準間口幅の枠体８を数種類準備しておくことにより、顧客などの多様な要求に対応することができる。
【００３４】
このようにして、任意に定められた間口幅の枠体８を図６に示すように配置した状態で高さ方向のレベル調整が可能となるので、全体を構築する前段階でレベル調整作業を完了させることができ、施工作業を簡易迅速に行うことができる。そして順次、上部キャビネットＡ１・Ａ２・Ａ３・Ａ４を枠体上に載置して固定し、引出ユニット９を枠体８の枠内空間に収容することにより、図１に示すように厨房家具として一体化した構成を得ることができる。そして、引出ユニット９を引き出した場合は、図７に示すように、上部キャビネットの隣り合う範囲に亘る大きな間口幅の引出ユニット９が構築されることになる。
【００３５】
図８は、下部キャビネットの背面の必要とする部位にガス、水道などの配管Ｐを配設するための配管スペースを形成する必要のある場合の枠体８の構成を示すもので、基準長より奥行き寸法の短い側板８ａにより枠体８を構成し、基準長の枠体８と前端位置を揃えて配置することにより、図９に示すように枠体８の背面に配管スペースを形成することができる。なお、この場合、上部キャビネットの奥行き寸法などは何等変更せずに採用することができるが、下部キャビネットの引出ユニット９は、奥行き寸法の短いものを採用することになる。しかしながら、上部キャビネットは配管スペースへの対応の要否に拘わらず、同一種類のものを採用することができるので、商品企画における融通性に優れ、コスト上昇を制限することができる。
【００３６】
図１０は、本発明の発展的構成を示すので、上部キャビネットの底板４の前端および桟板３部分にパンチングメタル１１などを配設し、外部の空気を流通させるようにしたもので、キャビネット内部の防黴対策などを講じるようにしたものである。このパンチングメタル１１は、下部キャビネットの鏡板９ｃにも配設するようにしてもよく、任意に選択することができる。
【００３７】
図１１は、本発明の第２実施例によるベースキャビネットにより厨房家具を完成した状態を示す斜視図であり、同図に示す例においては、４組の上部キャビネつとＡ１・Ａ２・Ａ３・Ａ４と２組の引出ユニット９を収容した下部キャビネットＢ、およびワークトップＷを主体に構築されている。
【００３８】
図１２は、図１１の構築状態の理解を容易とするため、上部キャビネットＡ１を配置前の状態で示したものでである。なお、上部キャビネットＡ１・Ａ２・Ａ３・Ａ４の構成は、第１実施例と共通するので、その説明を省略する
【００３９】
つぎに、下部キャビネットＢを構成するための枠体１２は、図１３に示すように、鋼製であって帯状またはパイプ状のビーム材１２ａ・１２ｂ・１２ｃを水平方向に梁渡し、その両端部および中間位置にビーム材を曲成した支脚１２ａ・１２ｂ・１２ｃが溶接あるいはボルト・ナットなどの締結手段により固定されている。このように鋼製した枠体１２の枠内空間に、第１実施例と同様に構成され、キャスター１０を備えた引出ユニット９が収容され、図１１に示すような完成状態が得られる。
【００４０】
本発明の第２実施例は以上のように構成されることから、枠体が単一構成のものであることから、組立作業、レベル調整作業が容易となる。また、基準長より奥行き寸法の短い引出ユニットを採用するのみで、配管スペースを形成することができる。
【図面の簡単な説明】
【００４１】
【図１】本発明の第１実施例による厨房家具を示す斜視図である。
【図２】図１の構築状態を示す斜視図である。
【図３】図１の断面図である。
【図４】図１の下部キャビネットの構成例を示す斜視図である。
【図５】図１の下部キャビネットの他の構成例を示す斜視図である。
【図６】図１の下部キャビネットの枠体の配置状態を示す斜視図である。
【図７】図１の厨房家具の機能を説明する斜視図である。
【図８】図１の下部キャビネットの枠体の他の配置状態を示す斜視図である。
【図９】図８の枠体によりベースキャビネットを構築した状態の断面図である。
【図１０】本発明のベースキャビネットの発展的構成を示す断面図である。
【図１１】本発明の第２実施例による厨房家具を示す斜視図である。
【図１２】図１１の構築状態を示す斜視図である。
【図１３】図１１の下部キャビネットの枠体の構成を示す斜視図である。
【図１４】従来のベースキャビネットの構成を説明するための斜視図である。
【図１５】本発明の改良の対象となるベースキャビネットを示す斜視図である。
【符号の説明】
【００４２】
Ａ１〜Ａ４・・・・上部キャビネット
Ｂ１〜Ｂ３・・・・下部キャビネット
Ｗ・・・・・・・・ワークトップ
１・・・・・・・・側板
２・・・・・・・・背板
３・・・・・・・・桟板
４・・・・・・・・底板
５・・・・・・・・鏡板
６・・・・・・・・引出ユニット
７・７ａ・７ｂ・・スライダー
８・・・・・・・・枠体
８ａ・・・・・・・側板
８ｂ・・・・・・・背板
８ｃ・・・・・・・桟板
８ｄ・・・・・・・底板
９・・・・・・・・引出ユニット
９ａ・・・・・・・側板
９ｂ・・・・・・・背板
９ｃ・・・・・・・鏡板
９ｄ・・・・・・・底板
１０・・・・・・・キャスター
１１・・・・・・・パンチングメタル
１２・・・・・・・枠体
１２ａ〜１２ｃ・・ビーム材
１２ｄ〜１２ｆ・・支脚
【図１】
2005143830.tif 000003
【図２】
2005143830.tif 000004
【図３】
2005143830.tif 000005
【図４】
2005143830.tif 000006
【図５】
2005143830.tif 000007
【図６】
2005143830.tif 000008
【図７】
2005143830.tif 000009
【図８】
2005143830.tif 000010
【図９】
2005143830.tif 000011
【図１０】
2005143830.tif 000012
【図１１】
2005143830.tif 000013
【図１２】
2005143830.tif 000014
【図１３】
2005143830.tif 000015
【図１４】
2005143830.tif 000016
【図１５】
2005143830.tif 000017